(57)【要約】【課題】収納袋のシール部を切り裂く際に、複合フィルムにおける２軸延伸フィルムの分子の配向の影響を受ける場合であっても、容易にシール部を引き裂くことが可能な収納袋を提供する。【解決手段】２軸延伸フィルムを基材フィルムとして含む複合フィルム２を主たる材料とし、周囲にヒートシールによる横シール部４３を有する収納袋４０であって、収納袋４０の少なくとも１つの辺に形成される横シール部４３に、横シール部４３を貫通する複数の亀裂部１０を形成し、亀裂部１０は、横シール部４３の所定領域に、横シール部４３の外側端縁から内側端縁にかけてハニカム状に整列して設けられるように構成する。【選択図】図１
2015081119.tif 000002
【特許請求の範囲】
【請求項１】
２軸延伸フィルムを基材フィルムとして含む複合フィルムを主たる材料とし、周囲にヒートシールによるシール部を有する収納袋であって、
前記収納袋の少なくとも１つの辺に形成される前記シール部に、前記シール部を貫通する複数の亀裂部を形成し、
前記亀裂部は、前記シール部の所定領域に、前記シール部の外側端縁から内側端縁にかけてハニカム状に整列して設けられること
を特徴とする収納袋。
【発明の詳細な説明】
【技術分野】
【０００１】
本発明は、収納袋に関するものである。
【背景技術】
【０００２】
従来、食品、化粧品等の各種物品を収納する収納袋は、例えば、図７に示すような、製膜された未延伸フィルム１１０を縦延伸及び横延伸の２軸に延伸して形成される２軸延伸フィルム１００（基材フィルム）の内側にポリエチレン等のヒートシール材（図示せず）を貼り合わせて構成される複合フィルムＦにより製造される。
【０００３】
図７に示すように、２軸延伸フィルム１００は、縦延伸機（図示せず）により縦方向に１軸延伸されたフィルムを、予熱ゾーンにて延伸可能な温度に加熱し、延伸ゾーンにて横方向に延伸することで形成される。すなわち、２軸延伸フィルム１００は、縦及び横方向の二軸方向に引き伸ばし、フィルムの分子を延伸した方向に配向させる処理を行うことで形成される。このように形成される２軸延伸フィルム１００は、例えば、図７のＡからＤに示すように、所定の幅で切断され、さらに、図８（ａ）及び（ｂ）に示すように、その内側にヒートシール材が貼り合わされることで複合フィルムＦの原反Ｒとして巻き取られる。
【０００４】
そして、図８（ｂ）に示すように、従来の収納袋１５０は、この原反Ｒから繰り出される１枚の複合フィルムＦを半分に切断して重ね合わせ、重ね合わせた複合フィルムＦの縦方向及び横方向をヒートシールしてシール部Ｓを形成する。そして、シール部Ｓを縦方向或いは横方向に切断するとともに、シール部Ｓに切り込みＫを設けることで、図８（ｃ）に示すようなシール部Ｓの引き裂き可能な収納袋１５０が製造される。
【０００５】
しかしながら、図７中のＨに示すように、２軸延伸フィルム１００において、その中央部（Ｂ及びＣ）におけるフィルムの分子の配向は、ほとんど同一の方向（フィルムの流れ方向における分子の配向、或いはフィルムの幅方向における分子の配向が、ほとんど同一の方向）であるのに対し、その両端部（Ａ及びＤ）におけるフィルムの分子の配向は、異なる方向である。すなわち、２軸延伸フィルム１００内における分子の配向の方向は、その両端部（Ａ及びＤ）と中央部（Ｂ及びＣ）とで異なる。このため、収納袋１５０に用いられる複合フィルムＦにおいても、２軸延伸フィルム１００の切断位置（ＡからＤ）によって、基材フィルムである２軸延伸フィルム１００内における分子の配向の方向が異なる。
【０００６】
従って、２軸延伸フィルム１００の中央部（Ｂ及びＣ）を切断して形成される複合フィルムＦを重ね合わせてヒートシールした場合には、そのヒートシールにより形成されるシール部Ｓの表側と裏側とでフィルムの分子の配向がほとんど同一の方向（ほとんど重なる状態）となるが、２軸延伸フィルム１００の両端部（Ａ及びＤ）を切断して形成される複合フィルムＦの場合には、図８（ｃ）中のＨに示すように、シール部Ｓの表側と裏側とでフィルムの分子の配向が異なる方向（交差する状態）となる。このようなことは、シール部Ｓが横シールであっても縦シールであっても同様である。
【０００７】
そのため、収納袋のシール部Ｓの表側と裏側とでフィルムの分子の配向がほとんど同一の方向（ほとんど重なる状態）である場合には、シール部Ｓに切り込みを設けることにより、比較的小さな引裂き強さでシール部Ｓを引き裂くことができるが、収納袋のシール部Ｓの表側と裏側とでフィルムの分子の配向が異なる方向（交差する状態）である場合には、フィルムの分子の配向が抵抗となり、シール部Ｓに切り込みを設けても、引裂き強さを大きくしなければ、シール部Ｓを引き裂くことができないという問題があった。
【０００８】
そこで、収納袋のシール部Ｓの表側と裏側とでフィルムの分子の配向が異なる方向（交差する状態）である場合であっても、収納袋のシール部の所定箇所から容易にシール部の引き裂きを開始することが可能な収納袋が提案されている（例えば、特許文献１及び２参照）。
【０００９】
特許文献１及び２に示す収納袋は、シール部の端縁部の引き裂きを開始する所定箇所に突き刺し孔からなる傷痕群が形成され、この傷痕群がシール部の内縁側に向かって先細り状となっているものである（例えば、特許文献１及び２の図１及び図３参照）。
【００１０】
また、特許文献１及び２に示す収納袋は、シール部の端縁部の引き裂きを開始する所定箇所に、収納袋の端縁間を結ぶ直線状ないしミシン目状の切れ目が形成され、この切れ目を跨ぐように、シール部の端縁部から内縁側に向かう一部所定箇所に突き刺し孔からなる傷痕群が形成されたものである（例えば、特許文献１及び２の図１及び図３参照）。
【００１１】
特許文献１及び２に示す収納袋においては、シール部に傷痕群が形成されているため、シール部を引き裂く際に、フィルムの分子の配向による抵抗を受ける場合であっても、隣接する突き刺し孔（傷痕群）をたどってシール部を引き裂くことで、シール部を容易に引き裂くことができる。
【先行技術文献】
【特許文献】
【００１２】
【特許文献１】特許第３８１８７０７号公報
【特許文献２】特許第４４５６５７２号公報
【発明の概要】
【発明が解決しようとする課題】
【００１３】
しかしながら、特許文献１及び２に示す収納袋は、傷痕群の先細る方向に沿ってシール部を引き裂く場合には、容易にシール部を引き裂くことができるが、図９（ａ）に示すように、傷痕群１５３の先細る方向から外れた方向（例えば、図９（ａ）の引き裂き部分１６０）に、シール部Ｓが引き裂かれる場合には、傷痕群１５３から外れた後は、シール部Ｓを引き裂くことが難しい。このような状態は、複合フィルム（２軸延伸フィルム）の分子の配向が、シール部Ｓの表側と裏側とで異なる方向（交差する状態）にある収納袋において特に生じる。
【００１４】
また、特許文献１及び２に示す収納袋は、収納袋の端縁間を結ぶ直線状ないしミシン目状の切目が形成されているが、フィルムの分子の配向がシール部Ｓの表側と裏側とで異なる方向（交差する状態）にある収納袋においては、複合フィルム（２軸延伸フィルム）の分子の配向の影響から、図９（ｂ）に示すように、当該切目１５５の切目方向から外れた方向（例えば、図９（ｂ）の引き裂き部分１７０）でシール部Ｓが引き裂かれる場合が多く、切目１５５が誘導する方向にシール部Ｓを引き裂くことが難しいという問題がある。
【００１５】
さらに、特許文献１及び２に示す収納袋は、図９に示すように、シール部Ｓの外側端縁（シール部Ｓの引き裂き開始部分、図９のＸ部分）に傷痕群１５３が形成されていない状態、すなわち、シール部Ｓの引き裂き開始部分に切り込み（亀裂部分）等が設けられていない状態であるため、引裂き強さを大きくしなければ、シール部Ｓを引き裂くことができないという問題がある。
【００１６】
本発明は、上記課題を解決するもので、収納袋のシール部を切り裂く際に、複合フィルムにおける２軸延伸フィルムの分子の配向の影響を受ける場合であっても、容易にシール部を引き裂くことが可能な収納袋を提供することを目的とする。
【課題を解決するための手段】
【００１７】
上記課題を解決するため、請求項１の発明に係る収納袋は、２軸延伸フィルムを基材フィルムとして含む複合フィルムを主たる材料とし、周囲にヒートシールによるシール部を有する収納袋であって、前記収納袋の少なくとも１つの辺に形成される前記シール部に、前記シール部を貫通する複数の亀裂部を形成し、前記亀裂部は、前記シール部の所定領域に、前記シール部の外側端縁から内側端縁にかけてハニカム状に整列して設けられるものである。
【００１８】
上記構成によれば、シール部の外側端縁から内側端縁までを亀裂部を介して引き裂くことができる。また、収納袋の製造過程において、シール部を切断した際に、常に亀裂部上を切断することができ、常に、シール部の外側端縁（シール部の引き裂き開始部分）に亀裂部を形成することができる。
【発明の効果】
【００１９】
本発明の効果として、以下に示すような効果を奏する。すなわち、上記収納袋によると、収納袋のシール部を引き裂く際に、複合フィルムにおける２軸延伸フィルムの分子の配向の影響を受ける場合であっても、常に亀裂部を介してシール部を引き裂くことができ、また、常に亀裂部の亀裂部分が形成された位置からシール部の引き裂きを開始することができるため、シール部を容易に引き裂くことができる。
【図面の簡単な説明】
【００２０】
【図１】（ａ）は、本発明の第１の実施例に係る収納袋の平面図及び亀裂部近傍の一部拡大平面図、（ｂ）は、（ａ）における亀裂部の平面図である。
【図２】図１の（ａ）の他の実施例である亀裂部近傍の一部拡大平面図である。
【図３】（ａ）は、本発明の第１の実施例における収納袋の製造装置の全体概要斜視図、（ｂ）は、同製造装置の孔貫通機構の正面図である。
【図４】（ａ）は、孔貫通部材の平面図、（ｂ）は、孔貫通部材の側面図である。
【図５】（ａ）は、縦シール部及び横シール部を形成した複合フィルムの平面図、（ｂ）は、（ａ）において亀裂部をハニカム状に整列して横シール部に設けた場合の亀裂部群近傍の一部拡大平面図、（ｃ）は、（ｂ）において横シール部を切断した後の亀裂部群近傍の一部拡大平面図、（ｄ）は、（ａ）において亀裂部を直線状に整列させて横シール部に設けた場合の亀裂部群近傍の一部拡大平面図、（ｅ）は、（ｄ）において横シール部を切断した後の亀裂部群近傍の一部拡大平面図である。
【図６】（ａ）は、本発明の第２の実施例に係る収納袋の平面図、（ｂ）は、本発明の第３の実施例に係る収納袋の平面図、（ｃ）は、本発明の第４の実施例に係る収納袋の平面図、（ｄ）は本発明の第４の実施例に係る収納袋の側面図である。
【図７】二軸延伸フィルムの製造方法を示す模式図である。
【図８】図７の二軸延伸フィルムを切断して従来の収納袋を製造するまでの模式図であり、（ａ）は、図７のＡ、Ｂ、Ｃ及びＤで切断した二軸延伸フィルムの模式図、（ｂ）は、（ａ）の複合フィルムの原反から繰り出される複合フィルムを半分に切断して重ね合わせた複合フィルムの模式図、（ｃ）は、（ｂ）の複合フィルムから製造した従来の収納袋（三方袋）の模式図である。
【図９】（ａ）及び（ｂ）は、従来の収納袋における亀裂部近傍の一部拡大平面図である。
【発明を実施するための形態】
【００２１】
以下に、本発明の第１実施例に係る収納袋４０について図１から図４に基づき説明する。
【００２２】
図１に示すように、収納袋４０は、２軸延伸フィルムを基材フィルムとして含む２枚の複合フィルム２をその内面を互いに向い合せた状態で重ね合わせたスタンディングパウチである。収納袋４０には、重ね合わせた複合フィルム２の長手方向の一端部に開口部分が形成され、その他端部に複合フィルム２と同様の材料の底部用のシート４１を介在させて、膨らんだ底部の形となるように底部用のシート４１を複合フィルム２にヒートシールにより接合してなる縦シール部４２が形成されている。また、収納袋４０には、複合フィルム２の幅方向の両端部をヒートシールした横シール部４３・４３が形成されている。
【００２３】
縦シール部４２は、収納袋４０の底部を形成する部分であり、収納袋４０の外側端縁から内方（収納袋４０において内容物が収納される側）に向けて所定の幅で形成される。縦シール部４２には、二つ折りにされた底部用のシート４１が介在され、収納袋４０が自立可能に形成されている。
【００２４】
横シール部４３は、縦シール部４２の両端部から複合フィルム２の長手方向にヒートシールして形成される部分であり、収納袋４０の外側端縁からの内方（収納袋４０において内容物が収納される側）に向けて所定の幅で形成される。
【００２５】
また、横シール部４３・４３には、横シール部４３・４３の引き裂きを誘導するための複数の亀裂部１０が設けられている。図１に示すように、亀裂部１０は、横シール部４３の表面から裏面に向けて貫通する孔状の亀裂部分であり、詳しくは、図１（ｂ）に示すように、略十字状に亀裂が形成された孔状の部分である。なお、亀裂部１０は、図１（ｂ）に示す形状に限定されるものではなく、横シール部４３の表面から裏面に向けて貫通した亀裂を有する形状であればよい。
【００２６】
さらに、図１（ａ）に示すように、亀裂部１０は、横シール部４３の所定領域に、横シール部４３の外側端縁から内側端縁にかけて設けられる。具体的には、複数の亀裂部１０が、横シール部４３の一端部（収納袋４０の開口部分側の端部）であって、横シール部４３の幅方向における外側端縁から内側端縁の間に、平面視略四角形状となる亀裂部１０の群として配置され、複数の亀裂部１０（以下、複数の亀裂部１０を「亀裂部１０群」とする）により形成される幅Ｈが横シール部４３の幅方向において略同一の幅となるように配置される。
【００２７】
このように、亀裂部１０が、横シール部４３の所定領域に、横シール部４３の外側端縁から内側端縁にかけて設けられることで、横シール部４３の引き裂き経路となり得る領域に亀裂部１０を分散して設けることができる。そのため、収納袋４０の横シール部４３を引き裂く際に、複合フィルム２における２軸延伸フィルムの分子の配向の影響を受けて、横シール部４３が意図する方向に反して引き裂かれる場合であっても、亀裂部１０群が設けられた領域から外れた横シール部４３の領域で引き裂かれることはなく、比較的小さな引裂き強度で容易に横シール部４３を引き裂くことができる。
【００２８】
さらにまた、図１（ａ）に示すように、亀裂部１０は、横シール部４３の外側端縁（横シール部４３の引き裂き開始部分）上に沿って設けられる。すなわち、亀裂部１０が設けられる部分から横シール部４３の引き裂きが開始できるように、亀裂部１０が横シール部４３の外側端縁に間隔を空けずに設けられる。
【００２９】
このように、亀裂部１０が、横シール部４３の外側端縁上に沿って設けられることで、常に亀裂部１０が形成された部分から横シール部４３の引き裂きを開始することができるため、横シール部４３を容易に引き裂くことができる。なお、横シール部４３の内側端縁（収納袋４０において内容物が収納される側の端縁）については、亀裂部１０を設けることによる内容物の漏れを防止するために、若干の間隔（内容物が漏れない程度の間隔）を空けて亀裂部１０が設けられる。
【００３０】
さらにまた、図１（ａ）に示すように、亀裂部１０は、横シール部４３の外側端縁から内側端縁にかけて略ハニカム状に整列して設けられる。すなわち、亀裂部１０は、横シール部４３の外側端縁から内側端縁にかけて略隙間なく配置される。
【００３１】
このように、亀裂部１０が、略ハニカム状に整列して設けられることで、後述する収納袋の製造方法において、横シール部４３を切断する際に、常に亀裂部１０の亀裂部分が形成されている位置を切断することができ、横シール部４３の切断面、すなわち、横シール部４３の引き裂き開始部分に、常に亀裂部１０の亀裂部分を形成することができる。
【００３２】
さらにまた、亀裂部１０は、その亀裂部分が横シール部４３の幅方向（横シール部４３の引き裂き方向）に沿って配置されることが望ましい。亀裂部１０の亀裂部分が横シール部４３の幅方向に沿って配置されることで、横シール部４３の引き裂きを横シール部４３の幅方向に誘導することができる。
【００３３】
なお、亀裂部１０群は、収納袋４０の両側に設けられる横シール部４３のそれぞれに設けられているが、これに限定されるものではなく、収納袋４０の両側に設けられる横シール部４３のうちの片側の横シール部４３のみに設けても構わない。
【００３４】
また、亀裂部１０の配置は、図１（ａ）に限定されるものではなく、図２に示すように、亀裂部１０群の幅Ｈが、横シール部４３の外端縁から横シール部４３の内端縁に向けて徐々に広くなる（平面視略台形状となる）ように、亀裂部１０を配置しても構わない。すなわち、亀裂部１０群の幅Ｈが、横シール部４３を引き裂くために充分な所定の幅（長さ）を有し、且つその所定の幅（長さ）以上の亀裂部１０群の幅Ｈで、亀裂部１０が横シール部４３の外側端縁から内側端縁にかけて配置される。
【００３５】
さらにまた、横シール部４３の亀裂部１０群近傍には、亀裂部１０群が設けられている箇所を示す表示部（図示せず）が設けられており、例えば、三角形の表示が印刷された表示部が設けられている。このように、横シール部４３の亀裂部１０群近傍に表示部を設けることで、横シール部４３における切り取り位置を明確にすることができる。なお、この表示部は、三角形のものに限定されるものではなく、亀裂部１０群が設けられている箇所を示すものであれば、例えば、亀裂部１０が設けられている横シール部４３の表裏面を特定の色で印刷したものであっても構わない。
【００３６】
次に、本発明の実施例に係る収納袋４０の製造方法について説明する。
【００３７】
図３（ａ）に示すように、まず、収納袋４０の製造装置５０の第１フィルム案内機構５１によって、原反軸５２に装着されて支持されている原反Ｒから所定のテンションを付与しながら複合フィルム２が繰り出され、繰り出された複合フィルム２の中央部が第１切断機構５３によって切断される。そして、切断された２枚の複合フィルム２が重ね合わされると同時に、重ね合わされた複合フィルム２の幅方向の両端部に、収納袋４０の底部を形成する底部用のシート４１が、折り曲げられた状態で、第２フィルム案内機構５４・５４によって挿入される。
【００３８】
続いて、底部用のシート４１が挿入された複合フィルム２が、縦シール機構５５によって、複合フィルム２の搬送長手方向（複合フィルム２の縦方向）に所定の間隔でヒートシールされることで、縦シール部４２が形成される。そして、形成された縦シール部４２は、そのシール面が第１冷却機構５６によって表裏から押さえられることにより、冷却される。
【００３９】
さらに、縦シール部４２が形成された複合フィルム２が、横シール機構５７によって、複合フィルム２の横方向（複合フィルム２の幅方向）にヒートシールされることで、複合フィルム２に横シール部４３が形成される。
【００４０】
続いて、横シール機構５７と第２冷却機構５８との間に設けられる孔貫通機構６０によって横シール部４３の所定の箇所に亀裂部１０群が形成される。図３（ｂ）に示すように、亀裂部１０群は、孔貫通機構６０の孔貫通部材６１を、横シール部４３のシール面に押し当てることにより形成される。
【００４１】
ここで、孔貫通部材６１は、図４に示すように、四角錐の頂点を刃先とする複数の四角錐をハニカム状に整列して矩形或いは正方形に形成される部材である。そして、孔貫通部材６１は、図３（ｂ）に示すように、上下動可能な押し付け部材６２の下端部に取り付けられ、孔貫通機構６０の受部材６３に向けて押し付けられることで、横シール部４３に亀裂部１０群を形成する。なお、孔貫通部材６１は、横シール部４３のシール面に押し当てる部材に限定されるものではなく、横シール部４３の表面から裏面に向けて貫通した亀裂を形成可能な部材であれば、例えば、横シール部４３のシール面を突き刺すことにより亀裂を形成可能な突き刺し部材であっても構わない。
【００４２】
さらに、図３（ａ）に示すように、亀裂部１０群が形成された横シール部４３は、そのシール面が、第２冷却機構５８によって、表裏から押さえられることにより、冷却される。そして、第２切断機構５９によって、複合フィルム２の中央部が、複合フィルム２の搬送長手方向（複合フィルム２の縦方向）に切断されるとともに、横シール部４３が、複合フィルム２の幅方向（複合フィルム２の横方向）に切断されることで、収納袋４０が製造される。
【００４３】
次に、横シール部４３における亀裂部１０の配置と、横シール部４３の外側端縁（横シール部４３の引き裂き開始部分）における形状との関係について説明する。
【００４４】
図５（ａ）に示すように、収納袋４０においては、原反Ｒから搬送方向Ｚで繰り出される複合フィルム２に所定間隔で形成される横シール部４３上に、亀裂部１０が形成される。そして、亀裂部１０が形成された複合フィルム２は、第２切断機構５９によって、搬送長手方向（図５（ａ）Ｙ１方向）及び幅方向（図５（ａ）Ｙ２方向）に切断される。この時、横シール部４３上に形成される亀裂部１０群も第２切断機構５９によって、複合フィルム２の幅方向（図５（ａ）Ｙ２方向）に切断される。また、第２切断機構５９によって複合フィルム２の幅方向（図５（ａ）Ｙ２方向）に切断された部分が、収納袋４０における横シール部４３の外側端縁（横シール部４３の引き裂き開始部分）となる。
【００４５】
ここで、第２切断機構５９は、常に、横シール部４３の定位置（幅方向の中央部、図５（ｂ）及び（ｄ）のＹ２の位置）を切断する訳ではなく、当該定位置（中央部）から横シール部４３の幅方向に若干ずれた位置（例えば、図５（ｂ）及び（ｄ）のＹ３の位置）を切断する場合もある。すなわち、第２切断機構５９による複合フィルム２の幅方向（図５（ａ）Ｙ２方向）の切断位置は、常に一定ではない（図５（ｂ）及び（ｄ）に示すように、切断位置がＹ２の場合やＹ３の場合がある）。
【００４６】
また、第２切断機構５９によって、複合フィルム２の幅方向（図５（ａ）Ｙ２方向）に切断された部分の切断面の形状、すなわち、収納袋４０において横シール部４３の外側端縁（横シール部４３の引き裂き開始部分）となる部分の断面形状は、横シール部４３上の亀裂部１０の配置によって異なる。具体的には、本発明のように亀裂部１０を略ハニカム状に（略隙間なく、隣接する亀裂部１０の亀裂部分同士が接する状態で）整列して横シール部４３上に配置させる場合と、亀裂部１０を略直線状に（隙間を空けて、隣接する亀裂部１０の亀裂部分同士が離れた状態で）整列して横シール部４３上に配置させる場合とで、横シール部４３の外側端縁となる部分の断面形状が異なる。
【００４７】
図５（ｂ）に示すように、亀裂部１０を略ハニカム状に整列して横シール部４３上に配置させた場合、亀裂部１０の亀裂部分は、常に、第２切断機構５９の切断位置に存在する。このため、第２切断機構５９の切断位置が定位置から若干ずれた場合（例えば、図５（ｂ）において、Ｙ２からＹ３に、第２切断機構５９の切断位置がずれた場合）であっても、常に、亀裂部１０の亀裂部分が存在する位置で横シール部４３が切断される。すなわち、横シール部４３の切断面には、常に、亀裂部１０の亀裂部分が形成された状態となる。従って、図５（ｃ）に示すように、収納袋４０における横シール部４３の外側端縁（横シール部４３の引き裂き開始部分）には、亀裂部１０の亀裂部分が常に形成されるため、横シール部４３が引き裂き易くなる。
【００４８】
一方、図５（ｄ）に示すように、亀裂部１０を略直線状に整列して横シール部４３上に配置させた場合、亀裂部１０の亀裂部分は、常に、第２切断機構５９の切断位置に存在する訳ではない。例えば、第２切断機構５９が、亀裂部１０間の隙間の部分を切断する場合（図５（ｄ）のＹ３の位置を切断する場合）には、亀裂部１０の亀裂部分は、第２切断機構５９の切断位置から外れる。
【００４９】
このため、亀裂部１０を略直線状に整列して横シール部４３上に配置させた場合には、第２切断機構５９が亀裂部１０の亀裂部分を切断し（図５（ｄ）のＹ２の場合）、これにより、横シール部４３の切断面に亀裂部１０の亀裂部分が形成される場合もあるが、第２切断機構５９が、亀裂部１０間の隙間の部分を切断する場合（図５（ｄ）のＹ３の場合）には、第２切断機構５９が亀裂部１０の亀裂部分を切断しないため、図５（ｅ）に示すように、横シール部４３の切断面には、亀裂部１０の亀裂部分が形成されない。従って、収納袋４０における横シール部４３の外側端縁（横シール部４３の引き裂き開始部分）には、亀裂部１０の亀裂部分が形成されず、横シール部４３が引き裂き難くなる。
【００５０】
このように、亀裂部１０を略ハニカム状に整列して横シール部４３上に配置させることにより、常に、横シール部４３の外側端縁（横シール部４３の引き裂き開始部分、横シール部４３の切断面）上に、亀裂部１０の亀裂部分が形成された収納袋４０を製造することができる。このため、常に亀裂部１０の亀裂部分から引き裂きを開始することが可能な収納袋４０を製造することができ、製造された収納袋４０の横シール部４３を容易に引き裂くことができる。
【００５１】
次に、本発明の第２実施例に係る収納袋１について説明する。なお、収納袋４０と同一の構成については符号を同一とし、その説明を省略する。
【００５２】
図６（ａ）に示すように、収納袋１は、２軸延伸フィルムを基材フィルムとして含む２枚の複合フィルム２をその内面を互いに向い合せた状態で重ね合わせた三方シール袋である。収納袋１には、重ね合わせた複合フィルム２の長手方向の一端部に開口部分が形成され、その他端部をヒートシールした縦シール部３が形成されている。また、収納袋１には、複合フィルム２の幅方向の両端部をヒートシールした横シール部４・４が形成されている。そして、収納袋１には、収納袋４０と同様に、横シール部４・４に、横シール部４の引き裂きを誘導するための亀裂部１０群が設けられている。
【００５３】
次に、本発明の第３実施例に係る収納袋７０について説明する。なお、収納袋４０と同一の構成については符号を同一とし、その説明を省略する。
【００５４】
図６（ｂ）に示すように、収納袋７０は、２軸延伸フィルムを基材フィルムとして含む１枚の複合フィルム２を筒状にして側縁同士を重ね合わせた合掌袋である。収納袋７０には、重ね合わせた側縁を所定幅の領域でヒートシールした合掌シール部７１が形成されている。また、収納袋７０には、筒状にした複合フィルム２の一端部に開口部分が形成され、その他端部をヒートシールした横シール部７２が形成されている。
【００５５】
収納袋７０には、合掌シール部７１上であって収納袋７０の開口部分側に、合掌シール部７１の引き裂きを誘導するための亀裂部１０群が設けられている。また、収納袋７０には、横シール部７２上であって収納袋７０の幅方向の両端側に、横シール部７２の引き裂きを誘導するための亀裂部１０群が設けられている。
【００５６】
次に、本発明の第４実施例に係る収納袋８０について説明する。なお、収納袋４０と同一の構成については符号を同一とし、その説明を省略する。
【００５７】
図６（ｃ）及び（ｄ）に示すように、収納袋８０は、２軸延伸フィルムを基材フィルムとして含む１枚の複合フィルム２を筒状にして側縁同士を重ね合わせたガゼット袋である。収納袋８０においては、重ね合わせた側縁を所定幅の領域でヒートシールした合掌シール部８１を形成することにより複合フィルム２が筒状に形成される。そして、筒状にした複合フィルム２を平板状にした状態で、その長手方向の両側を折り曲げ線８２・８２において内側に折り込むことによりガゼット状に形成される。そして、筒状にした複合フィルム２の一端部に開口部分が形成され、その他端部にヒートシールした横シール部８３が形成される。
【００５８】
収納袋８０には、収納袋７０と同様に、合掌シール部８１上であって収納袋８０の開口部分側に、合掌シール部８１の引き裂きを誘導するための亀裂部１０群が設けられ、横シール部８３上であって収納袋８０の幅方向の両端側に、横シール部８３の引き裂きを誘導するための亀裂部１０群が設けられている。なお、横シール部８３に設けられる亀裂部１０群は、折り曲げ線８２より内方に設けられる。
【００５９】
以上のように、上記実施例に係る収納袋１、４０、７０、８０によると、収納袋１、４０、７０、８０の各シール部を引き裂く際に、複合フィルム２における２軸延伸フィルムの分子の配向の影響を受ける場合であっても、常に亀裂部１０を介して各シール部を引き裂くことができ、また、常に亀裂部１０が形成された部分から各シール部の引き裂きを開始することができるため、各シール部を容易に引き裂くことができる。
【符号の説明】
【００６０】
１、４０、７０、８０  収納袋
２                    複合フィルム
４、４３              横シール部（シール部）
１０                  亀裂部
７１、８１            合掌シール部（シール部）
７２、８３            縦シール部（シール部）
【図１】
2015081119.tif 000003
【図２】
2015081119.tif 000004
【図３】
2015081119.tif 000005
【図４】
2015081119.tif 000006
【図５】
2015081119.tif 000007
【図６】
2015081119.tif 000008
【図７】
2015081119.tif 000009
【図８】
2015081119.tif 000010
【図９】
2015081119.tif 000011